(57)【要約】      （修正有）【課題】実用されている申し込み用葉書では、送付した後記載者の手元に記載した内容の控え紙片が残らないものが多い。さらに、控え紙片として記入紙片が残り、複写された紙片が送付されるものが多い。複写、または、転写された材料は、薬品や紫外線，物理的な外力に弱いものが多く、申込書原紙として長期保存される対象として必ずしも好適なものではない。【解決手段】そこで、葉書と略同一サイズの記入用紙紙片と、葉書の略２倍の大きさを有し、再剥離再貼付型粘着剤を介して貼り合わされた複写用紙と葉書用紙とからなる台紙紙片とが、台紙紙片の短辺方向の一端部に設けられた綴じ部で綴じ合わされ、前記綴じ部の近傍に綴じ部を切除するための切取部が、記入用紙紙片と台紙紙片を貫通する状態で綴じ部に平行に形成され、葉書用紙の中央部には、葉書用紙を折り畳んで葉書にするための折部が前記綴じ部に平行に形成された葉書シートを提供する。【選択図】図１
2006142670.tif 000002
【特許請求の範囲】
【請求項１】
葉書と略同一サイズの記入用紙紙片と、
葉書の略２倍の大きさを有し、再剥離再貼付型粘着剤を介して貼り合わされた複写用紙と葉書用紙とからなる台紙紙片とが、
台紙紙片の短辺方向の一端部に設けられた綴じ部で綴じ合わされ、
前記綴じ部の近傍に綴じ部を切除するための切取部が、記入用紙紙片と台紙紙片を貫通する状態で、綴じ部に平行に形成され、葉書用紙の中央部には、葉書用紙を折り畳んで葉書にするための折部が前記綴じ部に平行に形成されたことを特徴とする葉書シート。
【請求項２】
請求項1に記載の葉書シートにおいて、
複写用紙の再剥離再貼付型粘着剤に接する面に剥離層が形成されたことを特徴とする葉書シート。
【請求項３】
請求項1〜２に記載の葉書シートにおいて、
上記複写用紙の中央部に、綴じ部に平行に切込みが形成されたことを特徴とする葉書シート。
【請求項４】
請求項３に記載の葉書シートの使用方法であって、
請求項３に記載の葉書シートの記入用紙紙片に通信情報を記載し、記載情報が複写された複写用紙を再剥離再貼付型粘着剤面で剥ぎ取って記入控えとし、記入用紙紙片を前記剥ぎ取られた複写用紙の跡に表出する再剥離再貼付型粘着剤に貼付し、切取部で綴じ部を葉書シートから切り離し、葉書用紙を折部で折り畳み、複写用紙が除去されて表出した再剥離再貼付型粘着剤面で通信情報記載面を被覆するように接着し、葉書とすることを特徴とする葉書シートの使用方法。
【発明の詳細な説明】
【技術分野】
【０００１】
本発明は、通信情報を葉書として郵送する際に、記入紙片を郵送し、複写紙片を手元に残すことができる葉書シートと葉書シートの使用方法に関する。
【背景技術】
【０００２】
従来、例えば「口座振替依頼申込書」や「入会申込書」等を郵送する場合は、封書が使用され、使用される封筒は、案内書類に添付されているものが使用されていた。
封書は、秘匿にしたい情報を郵送する手段として好適であるが、葉書に比べ高額の郵送代を支払わなければならないという課題がある。
そこで、記載された秘匿情報を再剥離再貼付型粘着剤が塗布された紙片で隠し、葉書代金で郵送できる葉書シートが提案され一部で実用されている。
【０００３】
例えば、葉書本体シートと貼着シートとを有し、貼着シートに記入した事項を葉書本体シートに複写し、前記両シートを剥離可能に接着して葉書とした時に、前記貼着シートに記入した事項は外部から見えない状態になる一方、表出する前記葉書本体シートの複写記入事項は、隠蔽ラベルを剥離可能に接着して隠蔽状態として使用する複写機能を有する葉書用シートが提案されている（特許文献１参照）。
【０００４】
【特許文献１】特願２０００−３０９１７９号公報
【発明の開示】
【発明が解決しようとする課題】
【０００５】
しかながら、実用されている葉書は前述の技術も含めて、記載者の手元に記載した内容の控え紙片が残らないものが多い。
さらに、控え紙片として記入紙片が残り、複写された紙片が送付されるものが多い。
複写、または、転写された材料は、薬品や紫外線，物理的な外力に弱いものが多く、申込書原紙として長期保存される対象として必ずしも好適なものではない。
【課題を解決するための手段】
【０００６】
前記課題を解決するために、本発明の葉書シートの請求項1に記載の発明は、葉書と略同一サイズの記入用紙紙片と、葉書の略２倍の大きさを有し、再剥離再貼付型粘着剤を介して貼り合わされた複写用紙と葉書用紙とからなる台紙紙片とが、台紙紙片の短辺方向の一端部に設けられた綴じ部で綴じ合わされ、前記綴じ部の近傍に綴じ部を切除するための切取部が、記入用紙紙片と台紙紙片を貫通する状態で綴じ部に平行に形成され、葉書用紙の中央部には、葉書用紙を折り畳んで葉書にするための折部が前記綴じ部に平行に形成されたことを特徴とするものである。
【０００７】
また、請求項２に記載の発明は、請求項1に記載の発明において、複写用紙の再剥離再貼付型粘着剤に接する面に剥離層が形成されたことを特徴とするものである。
【０００８】
また、請求項３に記載の発明は、請求項1〜２に記載の発明において、複写用紙の中央部に、綴じ部に平行に切込みが形成されたことを特徴とするものである。
【０００９】
また、請求項４に記載の発明は、請求項３に記載の葉書シートの使用方法であって、請求項３に記載の葉書シートの記入用紙紙片に通信情報を記載し、記載情報が複写された複写用紙を再剥離再貼付型粘着剤面で剥ぎ取り、記入用紙紙片を前記剥ぎ取られた複写用紙の跡に表出する再剥離再貼付型粘着剤に貼付し、切取部で綴じ部を葉書シートから切り離し、葉書用紙を折部で折り畳み、複写用紙が除去されて表出した再剥離再貼付型粘着剤面で通信情報記載面を被覆するように接着し、葉書とすることを特徴とするものである。
【発明の効果】
【００１０】
１）請求項１，請求項４に記載のように、葉書と略同一サイズの記入用紙紙片と、葉書の略２倍の大きさを有し、再剥離再貼付型粘着剤を介して貼り合わされた複写用紙と葉書用紙とからなる台紙紙片とが、台紙紙片の短辺方向の一端部に設けられた綴じ部で綴じ合わされ、前記綴じ部の近傍に綴じ部を切除するための切取部が、記入用紙紙片と台紙紙片を貫通する状態で綴じ部に平行に形成され、葉書用紙の中央部には、葉書用紙を折り畳んで葉書にするための折部が前記綴じ部に平行に形成されたことによって、記入用紙紙片に通信情報を記載した後、複写用紙紙片を切り取って記載者の控えとすることができる。
また、記載した記入紙片を葉書用紙に接着し、連接する葉書用紙を折り畳んで記載部分を被覆することによって秘匿情報を第三者による盗み見から護ることができる葉書として使用することができ、一方、記載事項を保存する側にとっては、受け取った書類が記入用紙紙片であるために長期保存に耐える書類として取り扱うことができる。
２）また、請求項２に記載のように、請求項1に記載の発明において、複写用紙の再剥離再貼付型粘着剤に接する面に剥離層が形成されたことによって、粘着剤の強度に関わらず剥離されるべき層で安心して剥離することができる。
３）また、請求項３に記載のように、請求項1〜２に記載の発明において、複写用紙の中央部に、綴じ部に平行に切込みが形成されたことによって、容易に折り畳んで貼り合わせることができるとともに、常に規定サイズの葉書として送付することができる。
【発明を実施するための最良の形態】
【００１１】
以下、図面を参照して、本発明の葉書シートと、葉書シートの使用方法について説明する。
図１は、本発明の葉書シートの一実施形態について説明するための葉書シートの斜視図，図２は、図１のＡ−Ａ線断面図，図３は、図１のＡ−Ａ線断面図により通信情報を記入するステップについて説明するための模式図，図４は、図１のＡ−Ａ線断面図により記入用紙紙片を捲るステップについて説明するための模式図，図５は、図１のＡ−Ａ線断面図により複写用紙を葉書用紙から剥がして切り取るステップについて説明するための模式図，図６は、図１のＡ−Ａ線断面図により記入用紙紙片を葉書用紙に貼付するステップについて説明するための模式図，図７は、図１のＡ−Ａ線断面図により綴じ部を切り取るステップについて説明するための模式図，図８は、図１のＡ−Ａ線断面図により複写用紙を剥がして粘着面を表出するステップについて説明するための模式図，図９は、図１のＡ−Ａ線断面図により葉書用紙を折り畳んで葉書とするステップについて説明するための模式図，である。
【００１２】
図１を参照して、本発明の葉書シートの一実施形態について説明する。
本発明の葉書シート１００は、短辺が葉書より若干大き目の記入用紙紙片１が、台紙紙片３０の上部に配置された複写用紙２と綴じ部７で綴じ合わされ、台紙紙片３０を構成する複写用紙２と葉書用紙３とは再剥離再貼付型粘着剤４で接着されている。
複写用紙２の略中央部には、本実施形態の場合は、切込み６が形成され、複写用紙を左右に２分できるようになっている。
また、記入用紙紙片１と台紙紙片３０を貫通する切り取り部５が、ミシン目状のカッターによって形成されている。
【００１３】
記入用紙紙片の通信文記載面には、罫線による枠や、図柄が印刷によって施されている。また、記入用紙紙片の裏側には、記載された通信情報が透けて見えないようにカムフラージュ地紋が印刷されている。
また、記入用紙紙片の裏面に位置する複写用紙の複写面には、記入用紙紙片と同様の図柄が印刷されている。また、図の右側の表出している複写用紙の表面には通信情報を記載する際の注意事項などが印刷されている。
葉書シート１００は、通信情報を記入用紙紙片１に記載した後、記入用紙紙片１を捲って、その下に位置する複写用紙２を切込み６の左側だけ、または、その右側も含めて再剥離再貼付型粘着剤４との境界から引き剥がすことができるようになっている。
複写用紙の裏側にあたる粘着剤側には、剥離剤が塗布されている。
【００１４】
図２を参照して、図１のＡ−Ａ線断面について説明する。
葉書シート１００は、図の上側から、記入用紙紙片１，複写用紙２（２１＋２２）が接着剤等による綴じ部７で綴じ合わされ、さらに、複写用紙２が、葉書用紙３と再剥離再貼付型粘着剤４で接着されている。
記入用紙紙片１の表面には、通信情報記載面の図柄１２が印刷等によって形成されている。
また、図示しないが記入用紙紙片の裏面には、図１で説明した地紋が印刷されている。
【００１５】
複写用紙２と記入用紙紙片１は、左端を綴じ部７によって綴じ合わされている。多くの場合、綴じ部７は、ライン状に塗布された接着剤によって接着されている。
また、複写用紙２には略中央部に切込み６が形成され、複写用紙２を複写用紙２１，複写用紙２２に分割している。
切込み６は、複写用紙の中央部付近に設けられたほうが後述する葉書を作成する際に都合がよいのであるが、後述するように必ずしも設けなくてもよい。
複写用紙２は、葉書用紙３と再剥離再貼付型粘着剤４で貼り合わされており、複写用紙２の裏側には剥離し易くするために剥離剤層２３が設けられている。
【００１６】
葉書用紙３の表出面（再剥離再貼付型粘着剤４が形成された逆側）には葉書が郵便や、配送サービス関連企業などによって郵送、または、配送（以下、単に郵送という。）される宛先情報３２等が印刷されている。
また、葉書用紙３の略中央部には葉書用紙３を再剥離再貼付型粘着剤４側に折り畳むための折部８が形成されている。
さらに、記入用紙紙片１，複写用紙２，葉書用紙３を貫通するミシン歯による切取部５が葉書シートの綴じ部７の近傍に形成され、最終的に記入用紙紙片と葉書用紙で、葉書を形成する際に、切取部５で切捨て部５０を切り離すことができるようになっている。
折部８は、切捨て部５０が切り離された時点で葉書用紙の中央に位置するように形成されている。
送付先で、通信情報を秘匿するために貼り合わされた葉書用紙を剥がし易くするために、折部８の右側部分の台紙部分を規定の葉書の短辺サイズより若干短めにすることもできる。
【００１７】
以下、一部図２を併用しながら、図３〜図９を参照して本発明の葉書シートの使用方法について説明する。
【００１８】
まず、図３に示すように記入用紙紙片１の記入面に筆記具で通信情報を記入する。記入された通信情報は、複写用紙２１の表面に複写される。
通信情報記入作業が終わったら、図４に示すように、記入用紙紙片１を捲る。
図５に示すように、複写用紙２１を再剥離再貼付型粘着剤の境界面から引き剥がす。
このときに、図２で説明した切込み６が無い場合は、複写用紙を途中まで引き剥がして図６に示すように、記入用紙紙片１を表出した再剥離再貼付型粘着剤に接着させる。
図５，図６に示す模式図は、複写用紙の略中央部に切込みが形成された図になっており、接着された記入用紙紙片１の右側には、複写用紙の片割れが台紙紙片に残されたままになる。
図７に示すように、綴じ部を含む切捨て部５０を切取部５で切り離す。
図８に示すように、台紙紙片に残された複写用紙２２を再剥離再貼付型粘着剤境界面から引き剥がす。
図９に示すように、折部８で、再剥離再貼付型粘着剤面が内側になるように葉書用紙３を折り畳み、葉書用紙の終端同士が一線になるように記入用紙紙片１の通信情報記載面を再剥離再貼付型粘着剤面で覆うように貼り合わせる。
前述のように、送付先で、貼り合わされた葉書用紙３を剥がし易くするために、折部８の右側部分の台紙部分を規定の葉書の短辺サイズより若干短めにし、図９で折り畳んで葉書にしたときに、葉書用紙の終端部分が短めに貼られようにすることもできる。
【００１９】
以下に、葉書シートに使用される記入用紙紙片と複写用紙について説明する。
【００２０】
（実施例１）
記入用紙がノーカーボン紙のトップ紙（上用紙）で、複写用紙がノーカーボン紙のミドル紙（中用紙）、または、ボトム紙（下用紙）の場合について説明する。
トップ紙は、ノーカーボン原紙の裏面にカプセルで包まれた液状の発色剤が塗布された複写用紙である。
カプセルは、筆圧、または、インパクトプリンタ等の活字ハンマーで破壊されて、カプセルの中の発色剤が外に流れ出て、複写用紙の顕色剤と反応して発色する。
複写用紙は、やはり、上質紙などの表面に前述の顕色剤が塗布された紙である。
複写紙片が２枚以上必要な場合は、トップ紙と、ボトム紙の間にミドル紙を挟んで使用する。ミドル紙は、表面に顕色剤が、裏面に発色剤を内包するカプセルがそれぞれ塗布された紙である。
【００２１】
（実施例２）
記入用紙が裏側にバックカーボン（プリントカーボン）が形成された、または、カーボン紙が組み込まれた複写構造の場合について説明する。この場合は、「複写用紙」には模造紙や、上質紙等が使用される。
筆圧、または、インパクトプリンタ等の活字ハンマーで文字が記入されると記入用紙の裏側のカーボンが、複写用紙の表面に転写されて複写される。
【００２２】
（材料例）
図２を参照して本発明の葉書シートに使用される材料の一例について、実施例１の例で説明する。
記入用紙紙片１の記入用紙には、、例えば、市販品呼称でＮ４０〜Ｎ８０を使用し、複写用紙２には、例えば、市販品呼称でＮ４０〜Ｎ１３０を使用する。
再剥離再貼付型粘着剤４として、粘着剤に微球を添加したものや、粘着剤に硬化剤を添加したタイプ、例えば、２ＥＨＡ（２エチルヘキシルアクリレート）等のガラス転移温度が低いアクリル樹脂をエマルジョン化したものを使用する。
また、剥離剤層２３としては、紫外線硬化型インキのメジウムインキ等を使用する。
また、綴じ部７に使用される接着剤としては、澱粉系，酢酸ビニル系，ＥＶＡ系，ポリウレタン系，ポリビニルアルコール系，アクリル系その他から選択して使用する。
また、印刷インキには、紫外線硬化型の有色インキを使用する。
なお、本発明の葉書シート作製にあたって、上述の材料以外に公知の適切な材料があれば自由に使用することができる。
【産業上の利用可能性】
【００２３】
郵送中に盗み見などの漏洩から護られるべき情報を有する郵便葉書などに広く利用できる。
【図面の簡単な説明】
【００２４】
【図１】本発明の葉書シートに一実施形態について説明するための葉書シートの斜視図である。
【図２】図１のＡ−Ａ線断面図である。
【図３】図１のＡ−Ａ線断面図により通信情報を記入するステップについて説明するための模式図である。
【図４】図１のＡ−Ａ線断面図により記入用紙紙片を捲るステップについて説明するための模式図である。
【図５】図１のＡ−Ａ線断面図により複写用紙を葉書用紙から剥がして切り取るステップについて説明するための模式図である。
【図６】図１のＡ−Ａ線断面図により記入用紙紙片を葉書用紙に貼付するステップについて説明するための模式図である。
【図７】図１のＡ−Ａ線断面図により綴じ部を切り取るステップについて説明するための模式図である。
【図８】図１のＡ−Ａ線断面図により複写用紙を剥がして粘着面を露出するステップについて説明するための模式図である。
【図９】図１のＡ−Ａ線断面図により葉書用紙を折り畳んで葉書とするステップについて説明するための模式図である。
【符号の説明】
【００２５】
１      記入用紙紙片
２，２１，２２  複写用紙
３      葉書用紙
４      再剥離再貼付型粘着剤
５      切取部
６      切込み
７      綴じ部
８      折部
２３  剥離剤層
１２，２４  図柄
３０    台紙紙片
３２    宛先情報
５０    切捨て部
１００  葉書シート
【図１】
2006142670.tif 000003
【図２】
2006142670.tif 000004
【図３】
2006142670.tif 000005
【図４】
2006142670.tif 000006
【図５】
2006142670.tif 000007
【図６】
2006142670.tif 000008
【図７】
2006142670.tif 000009
【図８】
2006142670.tif 000010
【図９】
2006142670.tif 000011